(57)【要約】【課題】大量生産が容易で、かつ耐摩耗性、耐水性、耐汚染性に優れた長さ表示テープを提供する。【解決手段】長さ表示テープ１は透明基材フィルム２と、透明基材フィルム２内面にデジタル印刷により形成された印刷層３と、補強層４とを備えている。印刷層３は透明基材フィルム２の全周縁に沿って形成された余白部７を残して設けられ、補強層４は印刷層３を覆いかつ余白部７まで延びている。【選択図】図２
2020046361.tif 000002
【特許請求の範囲】
【請求項１】
細長状の長さ表示テープにおいて、
透明基材フィルムと、
前記透明基材フィルムの内面に設けられ、デジタル印刷により形成された印刷層と、
前記透明基材フィルム上の印刷層を覆う補強層とを備え、
前記印刷層は前記透明基材フィルムの全周縁に沿って形成された余白部を残して設けられ、
前記補強層は前記印刷層の全域を覆いかつ前記透明基材フィルムの前記余白部まで延びる、長さ表示テープ。
【請求項２】
前記印刷層は目盛表示と、零点から２ｍ以上の距離表示とを含む、請求項１記載の長さ表示テープ。
【請求項３】
前記補強層は不織布からなる補強層本体と、前記補強層本体の両面に設けられた一対の合成樹脂層とを有する、多層構造をもつ、請求項１または２記載の長さ表示テープ。
【請求項４】
前記補強層は更に前記印刷層と反対側の合成樹脂層上に設けられた追加基材フィルムを有する、請求項３記載の長さ表示テープ。
【請求項５】
前記補強層は前記追加基材フィルムの内面に設けられた追加印刷層を有する、請求項４記載の長さ表示テープ。
【発明の詳細な説明】
【技術分野】
【０００１】
本開示の実施の形態は、距離の測定や長さの表示に用いる、長さ表示テープに関する。
【背景技術】
【０００２】
従来、湾曲した帯状鋼板に塗装を施し、目盛と零点からの距離を示す数字を印刷し、帯状鋼板を巻き取ってケースに収納した数ｍを測定する巻尺が知られている。また樹脂を含浸させたガラスクロスや布に塗装を施し、目盛と零点からの距離を示す数字を印刷し、このガラスや布を巻き取った数十ｍを測定する巻尺も広く用いられている。
【０００３】
これらの巻尺に対しては、輪転印刷機で目盛と、目盛と同色の補助数字を印刷している。また巻尺に対して零点からの距離を示す数字が別工程でスタンプ印字される。補助数字は零点からの距離を示す数字ではなく、「零点からの距離を示す数字」からの距離を示す数字である。補助数字は通常は１ｃｍごと、又は、１０ｍｍごとに１ｃｍから９ｃｍまでのものからなり、目盛と補助数字は一つの版で印刷されている。尚、補助数字が印刷されていない巻尺もある。零点からの距離を示す数字が別工程で、かつスタンプにより印字される理由は、数字を輪転印刷機で印刷しようとすると、当該巻尺の長さを円周率で割った直径を有する版が必要となるからである。従って１０ｍの巻尺の数字を輪転印刷機で印刷しようとすると、直径約３．２ｍの巨大な版が必要で、通常は実施が困難である。従って、零点からの距離を示す数字を正確な位置に印字することは困難だが、目盛を正確に印刷することは可能であり、ＪＩＳ１級の目盛りを含む巻尺も容易に製造することができる。
【０００４】
また、湾曲した帯状鋼板製巻尺に耐摩耗性や防錆性を付与するため、巻尺を飽和ポリエステル系樹脂で被覆する技術も開発されている（特許文献１参照）。
【０００５】
更にまた、熱硬化性ポリエステル樹脂を含浸させたガラスクロス製巻尺に関する技術も開発されている（特許文献２参照）。
【０００６】
しかしながら、これらの巻尺は1本ずつ印刷するため大量生産が困難であり、特に耐摩擦性や防錆性を付与するために樹脂を含浸させたり、塗布したりする工程は時間とコストが掛かり、大量生産をより困難にしてしまう。
【０００７】
また、目盛の間隔は合っていても、零点からの距離を示す数字は目盛に対して正確な位置に印字されておらず、ばらついている。
【０００８】
また、白色ポリプロピレンフィルムに目盛をグラビア印刷で表刷りし、裏面に粘着加工を施した長さ表示テープが開発され、この長さ表示テープは、工事現場を撮影し記録するために用いられている。しかしながら、フィルムに印刷可能なグラビア印刷機で版周１ｍを超える設備は一般的ではないため、このような長さ表示テープは１０ｃｍ、または２０ｃｍ毎の目盛や補助数字が印刷してあるのみで、零点から「１ｍ」の表示も無いのが現状である。このため目視している地点が零点から長い場合、零点から何ｍの地点であるのか、判断するのが困難である。また、この長さ表示テープは白色ポリプロピレンの表面に表刷りして得られるものであり、耐摩耗性に乏しい。
【先行技術文献】
【特許文献】
【０００９】
【特許文献１】特開２００１−４３０１号公報
【特許文献２】特開２００５−２５７２７２号公報
【発明の概要】
【発明が解決しようとする課題】
【００１０】
本開示の実施の形態は、このような点を考慮してなされたもので、大量生産が容易で、かつ、耐摩擦性、耐水性、耐汚染性に優れた長さ表示テープを提供することを目的とする。
【課題を解決するための手段】
【００１１】
本実施の形態は、細長状の長さ表示テープにおいて、透明基材フィルムと、前記透明基材フィルムの内面に設けられ、デジタル印刷により形成された印刷層と、前記透明基材フィルム上の印刷層を覆う補強層とを備え、前記印刷層は前記透明基材フィルムの全周縁に沿って形成された余白部を残して設けられ、前記補強層は前記印刷層の全域を覆いかつ前記透明基材フィルムの前記余白部まで延びる、長さ表示テープである。
【００１２】
本実施の形態は、前記印刷層は目盛表示と、零点から２ｍ以上の距離表示とを含む、長さ表示テープである。
【００１３】
本実施の形態は、前記補強層は不織布からなる補強層本体と、前記補強層本体の両面に設けられた一対の合成樹脂層とを有する、多層構造をもつ、長さ表示テープである。
【００１４】
本実施の形態は、前記補強層は更に前記印刷層と反対側の合成樹脂層上に設けられた追加基材フィルムを有する、長さ表示テープである。
【００１５】
本実施の形態は、前記補強層は前記追加基材フィルムの内面に設けられた追加印刷層を有する、長さ表示テープである。
【発明の効果】
【００１６】
本開示の実施の形態によれば、大量生産が容易で、かつ耐摩耗性、耐水性、耐汚染性に優れた長さ表示テープを得ることができる。
【図面の簡単な説明】
【００１７】
【図１】図１は本実施の形態による長さ表示テープの断面を示す概略図。
【図２】図２は本実施の形態による長さ表示テープの外観を示す平面図。
【図３】図３は本実施の形態による長さ表示テープの詳細な断面を示す図。
【図４】図４は本実施の形態による長さ表示テープの変形例の外観を示す平面図。
【図５】図５は比較例としての長さ表示テープを示す平面図。
【図６】図６は比較例としての鋼製巻尺の外観を示す概略図。
【発明を実施するための形態】
【００１８】
（本実施の形態による長さ表示テープ）
次に図１乃至図４により、本実施の形態による長さ表示テープ１について述べる。ここで図１は、長さ表示テープの概略を示す側断面図である。図１に示すように、長さ表示テープ１は細長状の形状をもち、例えば１０ｃｍ毎の目盛表示６と、零点からの距離を表示する距離表示５とを有し、主として工事現場等の屋外で使用される。またこの長さ表示テープ１は、例えば零点から２ｍ以上の比較的長い測定範囲をもつ。
【００１９】
このような長さ表示テープ１は透明基材フィルム２と、透明基材フィルム２の内面に設けられ、デジタル印刷により形成された、目盛表示６および距離表示５を含む印刷層３と、印刷層３上を覆う補強層４とを備えている。
【００２０】
印刷層３は透明基材フィルム２の全周縁に沿って形成された余白部７を残して形成され、補強層４は印刷層３の全域を覆い、かつ透明基材フィルム２の余白部７まで延び、好ましくはこの余白部７の全域を覆っている。
【００２１】
また図３に示すように、補強層４は、単層構造をもっていてもよく、多層構造をもっていてもよい。このうち多層構造をもつ補強層４は不織布からなる補強層本体４ｂと、補強層本体４ｂの両面に設けられた一対の合成樹脂層４ａ，４ｃと、印刷層３と反対側の合成樹脂層４ｃ上に設けられた追加基材フィルム４ｄとを有している。また追加基材フィルムの内面に追加印刷層４ｅが設けられている。
【００２２】
長さ表示テープ１の透明基材フィルム２の内面に設けられた印刷層３は、デジタル印刷により形成された黒色印刷又は赤色印刷を有し、追加基材フィルム４ｄの内面に設けられた追加印刷層４ｅはグラビア印刷、またはフレキソ印刷により耐水性を有するインキで形成された余白部を設けない白色全ベタ印刷を有するが、この追加印刷層４ｅは後述のように、省略することもできる。
【００２３】
また補強層４の最外面に、粘着層９を設けることにより、長さ表示テープ１を壁や板などに貼り付けることができる。
【００２４】
このように長さ表示テープ１は、透明基材フィルム２と、目盛表示６や零点からの距離を示す距離表示５、その他の文字等が印刷された印刷層３とを有し、印刷層３の裏面には補強層４が存在するため、耐摩耗性、耐水性、耐汚染性に優れている。なお、印刷層３は透明基材フィルム２の内面に裏刷りして形成されるが、補強層４の外面に表刷りして形成してもよい。
【００２５】
従来の長さ表示テープは、白色フィルム表面に目盛や零点からの距離を示す数字、その他の文字等を印刷したものであるため、耐摩耗性、耐水性、耐汚染性、耐候性等が劣り、長期間屋外で使用することはできなかったが、本実施の形態による長さ表示テープ１は耐摩耗性、耐水性、耐汚染性に優れている。
【００２６】
次に各構成部材について述べる。
【００２７】
（透明基材フィルム）
本発明に係る長さ表示テープ１に用いる透明基材フィルム２としては、透明性をもち、かつ印刷機に対する機械適性、耐水性などを有するプラスチックフィルムを用いることができる。具体的には、透明基材フィルムとして、ポリエチレンテレフタレイト、ポリプロピレン、ポリエチレン、ポリアミド、などの樹脂を製膜した、二軸延伸、一軸延伸、あるいは未延伸フィルムを用いることができ、特に二軸延伸ポリエチレンテレフタレイトフィルムを好適に用いることができる。
【００２８】
また、本発明に係る長さ表示テープ１に用いる透明基材フィルム２は、貼り合わされた複数の透明基材フィルムを有していてもよい。
【００２９】
（印刷層３）
長さ表示テープ１の印刷層３は、背景に全ベタ印刷を設けるなど見当合わせ不要な印刷を施す場合を除き、目盛表示６と零点からの距離を示す数字（距離表示）５の見当を正確に合わせるため、一工程で透明基材フィルム２に連続して印刷する必要がある。目盛表示６と零点からの距離を示す数字５は、デジタル印刷により数ｍ以上に亘って見当合せ印刷される。
【００３０】
なおデジタル印刷用インキは耐水性が乏しいため、印刷層３が長さ表示テープ１の端面に露出していると水濡れによって剥離や色落ちしてしまう。このため、長さ表示テープ１の印刷層３は長さ表示テープ１の透明基材フィルム２全周に亘って端面に露出させないように補強層４により覆われている。
【００３１】
（補強層４）
長さ表示テープ１の補強層４は、印刷層３を水などから保護すること、及び長さ表示テープ１に物理的強度を付加するために設けられている。
【００３２】
補強層４としては、ポリエチレンテレフタレイト、ポリプロピレン、ポリエチレン、ポリアミド、などの樹脂を製膜した、二軸延伸、一軸延伸、あるいは未延伸フィルムの透明、又は、着色したプラスチックフィルムを用いることができる。あるいは補強層４は、不織布をもつ単層構造または多層構造をもっていてもよい。
【００３３】
特に不織布は引き裂き性が極端に劣るため、この不織布を補強層４に組み込むことによって、長さ表示テープ１を強く引っ張っても切れにくくすることができる。
【００３４】
次に具体的に補強層４の構成を説明する。この場合、補強層４の構成を工夫して、長さ表示テープ１のフィルム構造が表裏対象になるようにすると、カールが抑えられて使いやすくなる。例えば、補強層４として、合成樹脂層４ａを構成する二軸延伸ポリエチレンテレフタレイトフィルム２５μｍ／印刷層／ポリエチレン１５μｍ／補強層本体４ｂとなる不織布（坪量５０ｇ／ｍ２）／合成樹脂層４ｃを構成するポリエチレン１５μｍ／二軸延伸ポリエチレンテレフタレイトフィルム２５μｍのように、Ａ、Ｂ、Ｃというフィルムを、Ａ／Ｂ／Ｃ／Ｂ／Ａ、Ａ／Ｂ／Ａ、Ａ／Ｂ／Ｂ／Ａといった対称構成層をもつ構造とすることでカールを少なくすることができる。
【００３５】
ところで、透明基材フィルム２と補強層４の貼り合わせ方法としては、一般的なフィルム同士の貼り合わせ方法を用いることができ、ドライラミネーション、ノンソルラミネーション、ポリエチレン樹脂の押出しラミネーション、熱ラミネーションなどを好適に利用できる。
【００３６】
また、長さ表示テープ１は粘着加工も容易に実施できる。上述のように補強層４の面に粘着層９を施してもよく、ガラス面など透明面に貼り付けるために透明基材フィルム２に粘着層９を設けてもよい。
【００３７】
また、長さ表示テープ１は、孔開けなどの加工が容易な材質からなるので、長さ表示テープを棒で固定するためのハトメ加工も容易に行える。特に、補強層４が不織布からなる補強層本体４ｂを有する場合は、引き裂き強度が向上するので好適である。また、長さ表示テープ１は金属製やガラス繊維製より軽量なので、ハトメ加工も金属をかしめるのでなく、バインダー用紙の孔を補強するのに用いる、プラスチックフィルム製の粘着剤付き補強用孔開きパッチを用いてハトメ加工することができる。
【００３８】
次に図２により、長さ表示テープの外観について述べる。ここで図２は長さ表示テープの外観を示す概略図である。
【００３９】
道路工事や河川の改修工事などにおいて、その施工状況を記録、又は報告するため、長さ表示テープは、写真撮影する際に長さ表示テープを映しこむことによってスケールを知らしめるために多用されている。
【００４０】
このような長さ表示テープは、写真撮影を目的としているため細かい目盛表示６は無く、長さ表示テープには目盛表示として白色の背景と、赤い目盛が、１０ｃｍ、又は、２０ｃｍずつ交互に設けられている。
【００４１】
本実施の形態による長さ表示テープ１において、デジタル印刷機で目盛表示６と零点からの距離を示す数字（距離表示）５が印刷されるので、図２に示したように「２メートル」を表示することができ、好ましくは数百メートル、あるいは数千メートルの零点からの距離を示す数字５の表示も可能である。
【００４２】
この場合、目盛表示６は、印刷層３の赤色印刷により形成され、さらに印刷層３に白色印刷を施すことにより、この白色印刷を目盛表示６の赤色印刷の背景としてもよい。この場合は、上述のように、追加印刷層２ｅを省略してもよい。
【００４３】
あるいは印刷層３に白色印刷を施すことなく、追加基材フィルム４ｄに印刷された白色ベタ印刷からなる追加印刷層２ｅにより、赤色印刷の目盛表示６の背景を形成してもよく、この場合、印刷層３上の白色印刷は不要となる。
【００４４】
また零点からの距離を示す数字５は印刷層３の黒色印刷により形成される。
【００４５】
このような構成からなる長さ表示テープは次のようにして得られる。
【００４６】
まず透明基材フィルム２を準備する。次に透明基材フィルム２に目盛表示６と長さの零点からの距離を示す数字５をデジタル印刷機を用いて複数列印刷した後、透明基材フィルム２に補強層４を積層して積層フィルムを作製する。次にこの積層フィルムを帯状にスリットして製品とすることにより、従来の積層フィルムの製造設備を用いて長さ表示テープ１を製造することができる。
【００４７】
なお、透明基材フィルム２や補強層４に用いるフィルムの長さ以上の零点からの距離を示す数字５を設ける場合、繋ぎ合わせることにより長さ表示テープ１を作製してもよい。
【００４８】
次に図４により本実施の形態の変形例について説明する。ここで図４は、長さ表示テープの変形例の外観を示す概略図である。図４に示す変形例において、図１乃至図３に示す実施の形態と同一部分には同一符号を付して詳細な説明は省略する。
【００４９】
図４に示すように、長さ表示テープ１は、透明基材フィルム２と、透明基材フィルム２上に印刷され製品となった時に印刷インキが端部に露出しないようにデザインされた、例えば黒色印刷で形成された目盛表示６と、赤色印刷の抜き文字で形成された希望する長さの零点からの距離表示５とを有している。目盛表示６と数字５の背面に白色ベタ印刷が施され、これら黒色印刷、赤色印刷および白色ベタ印刷は、デジタル印刷機を用いて印刷して形成される。その後、透明基材フィルム２に補強層４を積層して積層フィルムを作製し、この積層フィルムを１列ごとに、帯状にスリットして製品とすることにより、従来の積層フィルムの製造設備を用いて長さ表示テープ１を製造することができる。
【００５０】
また、抜き文字の「３０」の単位は「センチメートル」でも「メートル」でも、その他の公的に認められていない「インチ」や「フィート」、又は、「寸」や「尺」などの単位でも製造可能である。
【００５１】
また、複数列分の製品を繰り返し印刷することによって、希望する製品の長さに応じて印刷原反１本で何百個という数の製品を、従来の積層フィルムの製造設備を用いて製造することができる。なお、図４において、長さ表示テープ１は補助数字８を有する。
【００５２】
次に図６により比較例としての鋼製巻尺の外観を示す。
【００５３】
図６に示すように長さ表示テープ１は目盛表示６と、鋼製巻尺からなり零点からの距離を示す数字（距離表示）５とを有する。このうち数字「３０」の単位は「センチメートル」である。図６に示す鋼製巻尺の場合、目盛表示６の間隔は正確に印刷されているが、零点からの距離を示す数字５の位置が、１ｍｍ未満ではあるが、ずれているものが多くなる。
【００５４】
また、鋼製巻尺なので、複数列を同時に製造することは、特にスリット後に端面研磨をする必要があるが、インキ落ちしてしまうため困難であり、何よりもスリット加工自体が鋼を切るという困難な加工となってしまう。しかも、零点からの距離を示す数字はオフラインで印刷せねばならず、本発明に係る長さ表示テープのように簡単に大量生産することはできない。
【００５５】
次に図５および図６により、比較例としてのプラスチックフィルム製長さ表示テープについて述べる。
【００５６】
比較例としての長さ表示テープ１は、図５および図６に示すように、白色プラスチックフィルムと、この白色プラスチックフィルムの表面に赤いベタ印刷で形成された１０ｃｍ、又は２０ｃｍごとの目盛と、黒色で印刷された線状の目盛とからなる２色印刷の目盛表示６を含む。プラスチックフィルムに複数列印刷し、粘着加工を施した後、スリット加工により帯状に１列ずつ切り離すことにより長さ表示テープ１が得られる。
【００５７】
比較例としてのプラスチックフィルム製長さ表示テープ１は、版を用いて印刷された目盛表示６を有するが、１ｍを超えるピッチの印刷が可能な印刷機はめったに存在せず、ましてや２ｍを超えるピッチの印刷が可能な印刷機が無いので、「２メートル」を表示することはできない。また「１メートル」の表示も、１ｍピッチの印刷では２ｍの位置にも「１メートル」と印刷してしまうので、実施しないのが一般的であり、特に図示しないが１０ｃｍ、又は２０ｃｍごとの補助数字を表示するしかないのが現状である。
【００５８】
また、白色フィルムに対して表刷りする場合は、白色インキを印刷せずに済むという利点はあるが、表刷りであるが故に耐摩擦性が劣るという問題を有している。
【００５９】
これに対して、本実施の形態による長さ表示テープ１は、プラスチックフィルムを基材としているため、基材フィルムに複数列同時に印刷し、これに基材フィルムや不織布を積層した後、１列ずつ切り離すことで、容易に大量生産することができる。
【００６０】
また、本実施の形態による長さ表示テープ１は、デジタル印刷機を用いて目盛と零点からの距離を示す数字（距離表示）５を印刷することにより、距離表示５を目盛表示６に対して正確な位置に印刷することができる。また、零点からの距離表示５が２ｍ以上であっても目盛表示６と零点からの距離を示す数字５の見当を合わせた長さ表示テープ１を得ることができる。また印刷層３を長さ表示テープ１の端部に露出させずに積層することによって、デジタル印刷の弱点であるインキの耐水性不良をカバーすることができる。このため長さ表示テープ１を屋外やトンネルの中などの水に濡れやすい場所でも、問題なく長時間使用することができ、かつ透明基材フィルム２の長さと同じ長さの、数千ｍの長さ表示テープ１も製造することができる。さらに長さ表示を連続させた長さ表示テープ１を繋ぐことによって、理論的にはどんなに長い長さ表示テープ１でも製造することができる
また、本実施の形態による長さ表示テープ１は、プラスチックフィルムを透明基材フィルム２としているため、ロールツーロールで粘着加工を施すことができるので、容易に粘着剤をもった長さ表示テープ１を作製することができ、長さ表示テープ１を板や壁などへ容易に固定することができる。
【００６１】
また、本実施の形態による長さ表示テープ１は、積層フィルムからなるため、金属、ガラス繊維、布などの材質でできた巻尺と異なり、容易にハトメを打つことができ、ハトメを打つことによって、釘、画鋲、アンカーボルトなどで容易に固定できる。このことによって、粘着剤を使用できない面へ長さ表示テープ１を容易に固定することができる。
【００６２】
また、本実施の形態による長さ表示テープ１は、不織布からなる補強層本体４ｂを有するため、耐引き裂き性が著しく向上するので、数百ｍ以上の長さをもつ長さ表示テープ１を得ることができる。
【実施例】
【００６３】
次に、本実施の形態の具体的実施例を説明する。
【００６４】
（実施例１）
透明基材フィルム２としての巾５２０ｍｍ、厚み１６μｍの二軸延伸ポリエチレンテレフタレイトフィルム（以後ＰＥＴフィルムと称する）を準備し、このＰＥＴフィルムに、デジタル印刷機を用いて横方向５０ｍｍ間隔で１０列、縦方向１ｍ間隔で０ｍから１０ｍまで零点からの距離を示す数字（距離表示）５を黒色で印刷すると共に、当該数字５に見当を合わせて、巾４５ｍｍ、長さ１００ｍｍの長方形の目盛表示６を、隣合う長方形と横方向に１０ｍｍ空けて１０列、縦方向に１００ｍｍ空けて赤色で印刷した。次に、ＰＥＴフィルムに赤色長方形と横方向両端部が一致するように巾４５ｍｍ、長さ１０ｍの白色ベタ印刷を零点から施した。このように１０ｍの表示を印刷した後、１ｍ空けて再度０ｍから１０ｍまで印刷することを繰り返した。
【００６５】
印刷済のＰＥＴフィルムの印刷面に、補強層４としての巾５２０ｍｍ、厚み１６μｍのＰＥＴフィルムを、二液硬化型ウレタン樹脂製接着剤を用いて積層して積層フィルムを形成し、次に補強層４に粘着加工を施して粘着層９を設けた。その後、積層フィルムを５０ｍｍ巾にスリットし、０ｍと１０ｍの表示の両端部に余白部７としての無地部１０ｃｍを残して切断することによって、本発明に係る長さ表示テープを得た。
【００６６】
長さ表示テープ１は、メートル数の表示が１０ｍまで設けられているため、写真撮影した場合に写真を見れば対象物の長さや高さが一目瞭然となる。また、長さ表示テープ１の端部にインキが無く、その表面が透明基材フィルムで覆われている。このため長さ表示テープ１を水に漬けても剥がれることがなく、野外に放置しても汚れ難く、汚れても容易に拭き取ることができるので使い勝手がよかった。
【００６７】
（実施例２）
透明基材フィルム２としての巾７４０ｍｍ、厚み２５μｍのＰＥＴフィルムを準備し、このＰＥＴフィルムにデジタル印刷機を用いて横方向３０ｍｍ間隔で２４列、縦方向１ｍ間隔で０ｍから１００ｍまで零点からの距離を示す数字（距離表示）５をカプセル形の中の抜き文字で赤色で印刷した。また、１０ｃｍ間隔で長さ２６ｍｍの横方向の目盛表示６と、１ｃｍ間隔で横方向両端であって余白部７としての無地部２ｍｍの内側に長さ８ｍｍの目盛表示６とをいずれも零点に合わせて黒色で印刷した。次に黒色印刷により形成された１０ｃｍ目盛と横方向両端部が一致するように巾２６ｍｍ、長さ１００ｍの白色ベタ印刷を零点に合わせて施した。この場合、白ベタ印刷した後、１ｍ空けて再度０ｍから１００ｍまで上述した印刷工程を繰り返した。
【００６８】
次に印刷済のＰＥＴフィルムの印刷面に、アンカー剤を塗布した後、厚み２０μｍの低密度ポリエチレンの押出しラミネーションを施した。また、巾７４０ｍｍ、厚み２５μｍの無地の別のＰＥＴフィルムを準備し、この別のＰＥＴフィルムにも同様にして厚み２０μｍ低密度ポリエチレンの押出しラミネーションを施した。
【００６９】
このように低密度ポリエチレンの押出しラミネーションを施した２枚のＰＥＴフィルムの低密度ポリエチレン面同士を対向させ、その間に坪量５０ｇのポリエチレン系長繊維不織布（商品名「エルベス（登録商標）Ｔ０５０３ＷＤＯ」：ユニチカ株式会社製）を熱ラミネーションにより積層して、層構成ＰＥＴフィルム２５μｍ／印刷層／ポリエチレン２０μｍ／不織布（坪量５０ｇ／ｍ２）／ポリエチレン２０μｍ／ＰＥＴ２５μｍの積層フィルムを作製した。次に積層フィルムの横方向の巾４ｍｍの無地部中央で巾３０ｍｍにスリットしつつ紙管に巻き取って、１００ｍの表示の後に無地部１０ｃｍを付け足して切断することによって、長さ表示テープを得た。
【００７０】
本実施例による長さ表示テープ１は、メートル数の表示が１００ｍまで設けられているため、設置した場所においてどの地点でも零点からの距離を容易に把握することができた。
【００７１】
また、零点から１０ｍおきにパンチ孔を開けて紙ファイル用粘着剤付き補強シールで当該孔を補強し、当該孔に固定用釘を刺すことによって、風が吹いても流されることなく使用できた。
【００７２】
また、長さ表示テープ１の端部にインキが無く、表面が透明基材フィルムで覆われているため、水に濡れても剥がれることがなく、野外に放置しても汚れ難く、汚れても容易に拭き取ることができるので使い勝手が良かった。
【符号の説明】
【００７３】
１    長さ表示テープ
２    透明基材フィルム
３    印刷層
４    補強層
４ａ  合成樹脂層
４ｂ  補強層本体
４ｃ  合成樹脂層
４ｄ  追加基材フィルム
４ｅ  追加印刷層
５    零点からの距離表示
６    目盛表示
８    補助数字
９    粘着層
【図１】
2020046361.tif 000003
【図２】
2020046361.tif 000004
【図３】
2020046361.tif 000005
【図４】
2020046361.tif 000006
【図５】
2020046361.tif 000007
【図６】
2020046361.tif 000008